【手続補正書】
【提出日】平成19年1月29日(2007.1.29)
【手続補正１】
【補正対象書類名】明細書
【補正対象項目名】特許請求の範囲
【補正方法】変更
【補正の内容】
【特許請求の範囲】
【請求項１】  複数の映像信号をそれぞれ入力する複数の入力端子と、
該入力された複数の映像信号の各モードを、所定の表示装置が映像信号を表示するのに最適なモードにそれぞれ変換する変換手段と、
前記表示装置の同一画面上に、前記変換された複数の映像信号を合成して表示する合成表示手段と
を有することを特徴とする映像表示装置。
【請求項２】  前記複数の入力端子からそれぞれ入力された各映像信号の内容を確認するために、前記合成表示手段による当該映像信号の合成表示を所定のタイミングで行う確認手段を有することを特徴とする請求項１に記載の映像表示装置。
【請求項３】  前記確認手段により当該各映像信号の内容を確認するときに、その最初の確認時には、当該各映像信号のモードまたは制御データをそれぞれ記憶手段に記憶し、前記最初の確認時以外には、前記記憶手段に記憶された内容に基づいて、前記変換手段および前記合成手段による各処理を行うことを特徴とする請求項２に記載の映像表示装置。
【請求項４】  前記確認手段により当該各映像信号の内容を確認するときに、前記複数の入力端子のそれぞれに対して、映像信号の入力の有無を検出する検出手段と、
前記確認手段による最初の確認時に、前記検出手段により映像信号の入力がないことが検出された入力端子に対しては、前記変換手段および前記合成表示手段による各処理を行わないように制御する制御手段と
を有することを特徴とする請求項２または３のいずれかに記載の映像表示装置。
【請求項５】  映像信号または制御信号を無線により送受信する送受信手段と、
該送受信手段により受信された映像信号のモードを、所定の表示装置が映像信号を表示するのに最適なモードに変換する変換手段と、
前記表示装置の同一画面上に、前記変換された映像信号または前記送受信手段により受信された制御信号を合成して表示する合成表示手段と
を有することを特徴とする映像表示装置。
【請求項６】  １系統以上の映像信号を入力する入力端子であって、前記送受信手段とは異なったものと、
前記入力端子に入力された映像信号が１系統のときには、当該映像信号を前記変換手段に供給する一方、前記入力端子に入力された映像信号が複数系統あるときには、そのうちいずれかの系統の映像信号を選択して前記変換手段に供給するように制御する制御手段と
を有することを特徴とする請求項５に記載の映像表示装置。
【請求項７】  前記送受信手段は、前記映像信号とともに、該映像信号を前記表示装置の同一画面上に合成表示するときに、表示態様を示す表示モード情報を受信し、
前記合成表示手段は、前記受信した表示モード情報に応じて、当該映像信号を前記表示装置の同一画面上に合成表示する
ことを特徴とする請求項５に記載の映像表示装置。
【請求項８】  請求項５に記載の映像表示装置に映像信号を送信するために、当該映像表示装置と無線ネットワークを介して接続された複数の端末であって、映像信号または制御信号を無線により送受信する送受信手段をそれぞれ備えたものにおいて、
少なくとも２つの前記送受信手段から送信される映像信号を、その映像期間周期をＴとし、前記表示装置の同一画面上に合成表示される映像信号のうち、主画面として選択される映像信号の送信期間をτとし、前記表示装置の同一画面上に合成表示される映像信号のうち、主画面として選択されない映像信号の個数をｎとし、定数をｋとしたときに、
τ＝ｋＴ／（ｎ＋ｋ）
に設定する
ことを特徴とする端末。
【請求項９】  複数の映像信号をそれぞれ複数の入力端子から入力し、
該入力された複数の映像信号の各モードを、所定の表示装置が映像信号を表示するのに最適なモードにそれぞれ変換し、
前記表示装置の同一画面上に、前記変換された複数の映像信号を合成して表示する
ことを特徴とする映像表示装置の制御方法。
【請求項１０】  送受信手段を用いて映像信号または制御信号を無線により送受信し、
該受信された映像信号のモードを、所定の表示装置が映像信号を表示するのに最適なモードに変換し、
前記表示装置の同一画面上に、前記変換された映像信号または前記送受信手段により受信された制御信号を合成して表示する
ことを特徴とする映像表示装置の制御方法。
【請求項１１】  複数の映像信号をそれぞれ複数の入力端子から入力し、
該入力された複数の映像信号の各モードを、所定の表示装置が映像信号を表示するのに最適なモードにそれぞれ変換し、
前記表示装置の同一画面上に、前記変換された複数の映像信号を合成して表示する
ことを特徴とする映像表示装置の制御方法を含む、コンピュータが実現できるプログラムを格納した記憶媒体。
【請求項１２】  送受信手段を用いて映像信号または制御信号を無線により送受信し、
該受信された映像信号のモードを、所定の表示装置が映像信号を表示するのに最適なモードに変換し、
前記表示装置の同一画面上に、前記変換された映像信号または前記送受信手段により受信された制御信号を合成して表示する
ことを特徴とする映像表示装置の制御方法を含む、コンピュータが実現できるプログラムを格納した記憶媒体。
【手続補正２】
【補正対象書類名】明細書
【補正対象項目名】００２０
【補正方法】削除
【補正の内容】
【手続補正３】
【補正対象書類名】明細書
【補正対象項目名】００２１
【補正方法】削除
【補正の内容】
【手続補正４】
【補正対象書類名】明細書
【補正対象項目名】００２２
【補正方法】削除
【補正の内容】
【手続補正５】
【補正対象書類名】明細書
【補正対象項目名】００２３
【補正方法】削除
【補正の内容】
【手続補正６】
【補正対象書類名】明細書
【補正対象項目名】００２４
【補正方法】削除
【補正の内容】
【手続補正７】
【補正対象書類名】明細書
【補正対象項目名】００２５
【補正方法】削除
【補正の内容】
【手続補正８】
【補正対象書類名】明細書
【補正対象項目名】００２６
【補正方法】削除
【補正の内容】
【手続補正９】
【補正対象書類名】明細書
【補正対象項目名】００２７
【補正方法】変更
【補正の内容】
【００２７】
また、上記第２の目的を達成するため、請求項５に記載の映像表示装置は、映像信号または制御信号を無線により送受信する送受信手段と、該送受信手段により受信された映像信号のモードを、所定の表示装置が映像信号を表示するのに最適なモードに変換する変換手段と、前記表示装置の同一画面上に、前記変換された映像信号または前記送受信手段により受信された制御信号を合成して表示する合成表示手段とを有することを特徴とする。
【手続補正１０】
【補正対象書類名】明細書
【補正対象項目名】００２８
【補正方法】変更
【補正の内容】
【００２８】
請求項６に記載の映像表示装置は、請求項５の映像表示装置において、１系統以上の映像信号を入力する入力端子であって、前記送受信手段とは異なったものと、前記入力端子に入力された映像信号が１系統のときには、当該映像信号を前記変換手段に供給する一方、前記入力端子に入力された映像信号が複数系統あるときには、そのうちいずれかの系統の映像信号を選択して前記変換手段に供給するように制御する制御手段とを有することを特徴とする。
【手続補正１１】
【補正対象書類名】明細書
【補正対象項目名】００２９
【補正方法】変更
【補正の内容】
【００２９】
請求項７に記載の映像表示装置は、請求項５の映像表示装置において、前記送受信手段は、前記映像信号とともに、該映像信号を前記表示装置の同一画面上に合成表示するときに、表示態様を示す表示モード情報を受信し、前記合成表示手段は、前記受信した表示モード情報に応じて、当該映像信号を前記表示装置の同一画面上に合成表示することを特徴とする。
【手続補正１２】
【補正対象書類名】明細書
【補正対象項目名】００３０
【補正方法】削除
【補正の内容】
【手続補正１３】
【補正対象書類名】明細書
【補正対象項目名】００３１
【補正方法】変更
【補正の内容】
【００３１】
また、請求項８に記載の端末は、請求項５に記載の映像表示装置に映像信号を送信するために、当該映像表示装置と無線ネットワークを介して接続された複数の端末であって、映像信号または制御信号を無線により送受信する送受信手段をそれぞれ備えたものにおいて、少なくとも２つの前記送受信手段から送信される映像信号を、その映像期間周期をＴとし、前記表示装置の同一画面上に合成表示される映像信号のうち、主画面として選択される映像信号の送信期間をτとし、前記表示装置の同一画面上に合成表示される映像信号のうち、主画面として選択されない映像信号の個数をｎとし、定数をｋとしたときに、τ＝ｋＴ／（ｎ＋ｋ）に設定することを特徴とする。
【手続補正１４】
【補正対象書類名】明細書
【補正対象項目名】００３２
【補正方法】削除
【補正の内容】
【手続補正１５】
【補正対象書類名】明細書
【補正対象項目名】００３３
【補正方法】削除
【補正の内容】
【手続補正１６】
【補正対象書類名】明細書
【補正対象項目名】００３４
【補正方法】変更
【補正の内容】
【００３４】
また、上記第１の目的を達成するため、請求項９に記載の映像表示装置の制御方法は、複数の映像信号をそれぞれ複数の入力端子から入力し、該入力された複数の映像信号の各モードを、所定の表示装置が映像信号を表示するのに最適なモードにそれぞれ変換し、前記表示装置の同一画面上に、前記変換された複数の映像信号を合成して表示することを特徴とする。
【手続補正１７】
【補正対象書類名】明細書
【補正対象項目名】００３５
【補正方法】削除
【補正の内容】
【手続補正１８】
【補正対象書類名】明細書
【補正対象項目名】００３６
【補正方法】削除
【補正の内容】
【手続補正１９】
【補正対象書類名】明細書
【補正対象項目名】００３７
【補正方法】削除
【補正の内容】
【手続補正２０】
【補正対象書類名】明細書
【補正対象項目名】００３８
【補正方法】削除
【補正の内容】
【手続補正２１】
【補正対象書類名】明細書
【補正対象項目名】００３９
【補正方法】削除
【補正の内容】
【手続補正２２】
【補正対象書類名】明細書
【補正対象項目名】００４０
【補正方法】削除
【補正の内容】
【手続補正２３】
【補正対象書類名】明細書
【補正対象項目名】００４１
【補正方法】削除
【補正の内容】
【手続補正２４】
【補正対象書類名】明細書
【補正対象項目名】００４２
【補正方法】削除
【補正の内容】
【手続補正２５】
【補正対象書類名】明細書
【補正対象項目名】００４３
【補正方法】削除
【補正の内容】
【手続補正２６】
【補正対象書類名】明細書
【補正対象項目名】００４４
【補正方法】削除
【補正の内容】
【手続補正２７】
【補正対象書類名】明細書
【補正対象項目名】００４５
【補正方法】変更
【補正の内容】
【００４５】
また、上記第２の目的を達成するため、請求項１０に記載の映像表示装置の制御方法は、送受信手段を用いて映像信号または制御信号を無線により送受信し、該受信された映像信号のモードを、所定の表示装置が映像信号を表示するのに最適なモードに変換し、前記表示装置の同一画面上に、前記変換された映像信号または前記送受信手段により受信された制御信号を合成して表示することを特徴とする。
【手続補正２８】
【補正対象書類名】明細書
【補正対象項目名】００４６
【補正方法】削除
【補正の内容】
【手続補正２９】
【補正対象書類名】明細書
【補正対象項目名】００４７
【補正方法】削除
【補正の内容】
【手続補正３０】
【補正対象書類名】明細書
【補正対象項目名】００４８
【補正方法】削除
【補正の内容】
【手続補正３１】
【補正対象書類名】明細書
【補正対象項目名】００４９
【補正方法】削除
【補正の内容】
【手続補正３２】
【補正対象書類名】明細書
【補正対象項目名】００５０
【補正方法】削除
【補正の内容】
【手続補正３３】
【補正対象書類名】明細書
【補正対象項目名】００５１
【補正方法】削除
【補正の内容】
【手続補正３４】
【補正対象書類名】明細書
【補正対象項目名】００５２
【補正方法】変更
【補正の内容】
【００５２】
また、上記第１の目的を達成するため、請求項１１に記載の記憶媒体は、複数の映像信号をそれぞれ複数の入力端子から入力し、該入力された複数の映像信号の各モードを、所定の表示装置が映像信号を表示するのに最適なモードにそれぞれ変換し、前記表示装置の同一画面上に、前記変換された複数の映像信号を合成して表示することを特徴とする映像表示装置の制御方法を含むことを特徴とする。
【手続補正３５】
【補正対象書類名】明細書
【補正対象項目名】００５３
【補正方法】削除
【補正の内容】
【手続補正３６】
【補正対象書類名】明細書
【補正対象項目名】００５４
【補正方法】削除
【補正の内容】
【手続補正３７】
【補正対象書類名】明細書
【補正対象項目名】００５５
【補正方法】削除
【補正の内容】
【手続補正３８】
【補正対象書類名】明細書
【補正対象項目名】００５６
【補正方法】削除
【補正の内容】
【手続補正３９】
【補正対象書類名】明細書
【補正対象項目名】００５７
【補正方法】削除
【補正の内容】
【手続補正４０】
【補正対象書類名】明細書
【補正対象項目名】００５８
【補正方法】削除
【補正の内容】
【手続補正４１】
【補正対象書類名】明細書
【補正対象項目名】００５９
【補正方法】削除
【補正の内容】
【手続補正４２】
【補正対象書類名】明細書
【補正対象項目名】００６０
【補正方法】削除
【補正の内容】
【手続補正４３】
【補正対象書類名】明細書
【補正対象項目名】００６１
【補正方法】削除
【補正の内容】
【手続補正４４】
【補正対象書類名】明細書
【補正対象項目名】００６２
【補正方法】削除
【補正の内容】
【手続補正４５】
【補正対象書類名】明細書
【補正対象項目名】００６３
【補正方法】変更
【補正の内容】
【００６３】
また、上記第２の目的を達成するため、請求項１２に記載の記憶媒体は、送受信手段を用いて映像信号または制御信号を無線により送受信し、該受信された映像信号のモードを、所定の表示装置が映像信号を表示するのに最適なモードに変換し、前記表示装置の同一画面上に、前記変換された映像信号または前記送受信手段により受信された制御信号を合成して表示することを特徴とする映像表示装置の制御方法を含むことを特徴とする。
【手続補正４６】
【補正対象書類名】明細書
【補正対象項目名】００６４
【補正方法】削除
【補正の内容】
【手続補正４７】
【補正対象書類名】明細書
【補正対象項目名】００６５
【補正方法】削除
【補正の内容】
【手続補正４８】
【補正対象書類名】明細書
【補正対象項目名】００６６
【補正方法】削除
【補正の内容】
【手続補正４９】
【補正対象書類名】明細書
【補正対象項目名】００６７
【補正方法】削除
【補正の内容】
【手続補正５０】
【補正対象書類名】明細書
【補正対象項目名】００６８
【補正方法】削除
【補正の内容】
【手続補正５１】
【補正対象書類名】明細書
【補正対象項目名】００６９
【補正方法】削除
【補正の内容】
【手続補正５２】
【補正対象書類名】明細書
【補正対象項目名】０１７６
【補正方法】変更
【補正の内容】
【０１７６】
【発明の効果】
以上説明したように、請求項１，９または１１に記載の発明によれば、複数の入力端子から入力された複数の映像信号の各モードが、所定の表示装置が映像信号を表示するのに最適なモードにそれぞれ変換され、前記表示装置の同一画面上に、前記変換された複数の映像信号が合成されて表示されるので、入力されている映像ソースの内容を容易に確認することができる。
【手続補正５３】
【補正対象書類名】明細書
【補正対象項目名】０１７７
【補正方法】変更
【補正の内容】
【０１７７】
また、請求項２に記載の発明によれば、前記複数の入力端子からそれぞれ入力された各映像信号の内容を確認するために、当該映像信号の合成表示が所定のタイミングで行われるので、映像を乱さずに、映像ソースの内容を確認することができる。
【手続補正５４】
【補正対象書類名】明細書
【補正対象項目名】０１７８
【補正方法】変更
【補正の内容】
【０１７８】
また、請求項３に記載の発明によれば、前記各映像信号の内容を確認するときに、その最初の確認時にのみ、当該各映像信号のモードまたは制御データがそれぞれ記憶手段に記憶され、前記最初の確認時以外には、前記記憶手段に記憶された内容に基づいて、前記変換および前記合成表示の各処理が行われるので、副画面表示の処理速度が速くなる。
【手続補正５５】
【補正対象書類名】明細書
【補正対象項目名】０１７９
【補正方法】変更
【補正の内容】
【０１７９】
さらに、請求項４に記載の発明によれば、前記各映像信号の内容を確認するときに、前記複数の入力端子のそれぞれに対して、映像信号の入力の有無が検出され、前記確認のうち最初の確認時に、前記検出により映像信号の入力がないことが検出された入力端子に対しては、前記変換および前記合成表示の各処理が行われないので、無入力の入力端子に対する映像が表示されず、本装置の使い勝手が向上する。
【手続補正５６】
【補正対象書類名】明細書
【補正対象項目名】０１８０
【補正方法】削除
【補正の内容】
【手続補正５７】
【補正対象書類名】明細書
【補正対象項目名】０１８１
【補正方法】削除
【補正の内容】
【手続補正５８】
【補正対象書類名】明細書
【補正対象項目名】０１８２
【補正方法】削除
【補正の内容】
【手続補正５９】
【補正対象書類名】明細書
【補正対象項目名】０１８３
【補正方法】削除
【補正の内容】
【手続補正６０】
【補正対象書類名】明細書
【補正対象項目名】０１８４
【補正方法】変更
【補正の内容】
【０１８４】
また、請求項５，１０または１２に記載の発明によれば、送受信手段を用いて受信された映像信号のモードが、所定の表示装置が映像信号を表示するのに最適なモードに変換され、前記表示装置の同一画面上に、前記変換された映像信号または前記送受信手段により受信された制御信号が合成されて表示されるので、複数の映像信号をケーブル接続によらずに入力することができる。
【手続補正６１】
【補正対象書類名】明細書
【補正対象項目名】０１８５
【補正方法】削除
【補正の内容】